(57)【特許請求の範囲】
【請求項１】
相手側コネクタの相手側端子に接触する接触部を有する接触端子と、
前記相手側コネクタとの嵌合によって電気的に導通する一対の嵌合検知用端子と、
前記接触端子及び前記一対の嵌合検知用端子を保持するハウジングとを備え、
前記ハウジングは、
前記接触端子を保持する本体部と、
前記本体部から突出して前記接触端子の前記接触部を前記相手側コネクタとの嵌合方向に直交する第１の方向に挟む絶縁性の第１の突部と、
前記嵌合方向及び前記第１の方向に直交する第２の方向に沿って前記接触部に並列し、前記一対の嵌合検知用端子を保持して前記本体部から突出する絶縁性の第２の突部とを有し、
前記第１の突部及び前記第２の突部は、前記接触部の先端よりも前記本体部から突出しており、
前記第１の方向における前記第１の突部間の間隔、及び前記第２の方向における前記接触部と前記第２の突部との間隔は、前記接触部への手指の接触を抑制する間隔である、
コネクタ。
【請求項２】
相手側コネクタの相手側端子に接触する接触部を有する接触端子と、
前記相手側コネクタとの嵌合によって電気的に導通する一対の嵌合検知用端子と、
前記接触端子及び前記一対の嵌合検知用端子を保持するハウジングとを備え、
前記ハウジングは、
前記接触端子を保持する本体部と、
前記本体部から突出して前記接触端子の前記接触部を前記相手側コネクタとの嵌合方向に直交する第１の方向に挟む絶縁性の第１の突部と、
前記嵌合方向及び前記第１の方向に直交する第２の方向に沿って前記接触部に並列し、前記一対の嵌合検知用端子を保持して前記本体部から突出する絶縁性の第２の突部とを有し、
前記第１の突部及び前記第２の突部は、前記接触部の先端よりも前記本体部から突出しており、
前記第１の方向における前記接触部と前記第１の突部との間隔、及び前記第２の方向における前記接触部と前記第２の突部との間隔は、ＩＥＣ６０３３５−１規格で定められた試験指の前記接触部への接触を不能とする間隔である、
コネクタ。
【請求項３】
相手側コネクタの相手側端子に接触する接触部を有する接触端子と、
前記相手側コネクタとの嵌合によって電気的に導通する一対の嵌合検知用端子と、
前記接触端子及び前記一対の嵌合検知用端子を保持するハウジングとを備え、
前記ハウジングは、
前記接触端子を保持する本体部と、
前記本体部から突出して前記接触端子の前記接触部を前記相手側コネクタとの嵌合方向に直交する第１の方向に挟む絶縁性の第１の突部と、
前記嵌合方向及び前記第１の方向に直交する第２の方向に沿って前記接触部に並列し、前記一対の嵌合検知用端子を保持して前記本体部から突出する絶縁性の第２の突部とを有し、
前記第１の突部及び前記第２の突部は、前記接触部の先端よりも前記本体部から突出しており、
前記第２の突部は、前記本体部に対して着脱可能である、
コネクタ。
【請求項４】
相手側コネクタの相手側端子に接触する接触部を有する複数の接触端子と、
前記相手側コネクタとの嵌合によって電気的に導通する一対の嵌合検知用端子と、
前記複数の接触端子及び前記一対の嵌合検知用端子を保持するハウジングとを備え、
前記ハウジングは、
前記複数の接触端子を保持する本体部と、
前記本体部から突出して前記複数の接触端子の前記接触部を前記相手側コネクタとの嵌合方向に直交する第１の方向に挟む絶縁性の複数の第１の突部と、
前記本体部から突出して前記複数の接触端子の前記接触部を前記嵌合方向及び前記第１の方向に直交する第２の方向に挟む絶縁性の複数の第２の突部とを有し、
前記複数の第２の突部のうち何れか１つには、前記一対の嵌合検知用端子が保持され、
前記複数の第１の突部及び前記複数の第２の突部は、前記接触部の先端よりも前記本体部から突出しており、
前記第１の方向における前記第１の突部間の間隔、及び前記第２の方向における前記接触部と前記第２の突部との間隔は、前記接触部への手指の接触を抑制する間隔である、
コネクタ。
【請求項５】
相手側コネクタの相手側端子に接触する接触部を有する複数の接触端子と、
前記相手側コネクタとの嵌合によって電気的に導通する一対の嵌合検知用端子と、
前記複数の接触端子及び前記一対の嵌合検知用端子を保持するハウジングとを備え、
前記ハウジングは、
前記複数の接触端子を保持する本体部と、
前記本体部から突出して前記複数の接触端子の前記接触部を前記相手側コネクタとの嵌合方向に直交する第１の方向に挟む絶縁性の複数の第１の突部と、
前記本体部から突出して前記複数の接触端子の前記接触部を前記嵌合方向及び前記第１の方向に直交する第２の方向に挟む絶縁性の複数の第２の突部とを有し、
前記複数の第２の突部のうち何れか１つには、前記一対の嵌合検知用端子が保持され、
前記複数の第１の突部及び前記複数の第２の突部は、前記接触部の先端よりも前記本体部から突出しており、
前記第１の方向における前記接触部と前記第１の突部との間隔、及び前記第２の方向における前記接触部と前記第２の突部との間隔は、ＩＥＣ６０３３５−１規格で定められた試験指の前記接触部への接触を不能とする間隔である、
コネクタ。
【請求項６】
相手側コネクタの相手側端子に接触する接触部を有する複数の接触端子と、
前記相手側コネクタとの嵌合によって電気的に導通する一対の嵌合検知用端子と、
前記複数の接触端子及び前記一対の嵌合検知用端子を保持するハウジングとを備え、
前記ハウジングは、
前記複数の接触端子を保持する本体部と、
前記本体部から突出して前記複数の接触端子の前記接触部を前記相手側コネクタとの嵌合方向に直交する第１の方向に挟む絶縁性の複数の第１の突部と、
前記本体部から突出して前記複数の接触端子の前記接触部を前記嵌合方向及び前記第１の方向に直交する第２の方向に挟む絶縁性の複数の第２の突部とを有し、
前記複数の第２の突部のうち何れか１つには、前記一対の嵌合検知用端子が保持され、
前記複数の第１の突部及び前記複数の第２の突部は、前記接触部の先端よりも前記本体部から突出しており、
前記複数の第２の突部のうち前記一対の嵌合検知用端子が保持された第２の突部は、前記本体部に対して着脱可能である、
コネクタ。
【請求項７】
請求項１乃至６の何れか１項に記載のコネクタと、
前記相手側コネクタとを備える
コネクタ装置。
【発明の詳細な説明】
【技術分野】
【０００１】
本発明は、例えば、ハイブリッド車、電気自動車等に用いられるコネクタ及びコネクタ装置に関し、特に、大容量の電力を伝達する際に使用する電力ハーネスに好適に用いることができるコネクタ及びコネクタ装置に関する。
【背景技術】
【０００２】
従来、相手側端子に接触する接触端子を有するコネクタとして、手指が接触端子に直接触れ難くする「タッチプロテクト」機構を備えたものが知られている（例えば、特許文献１参照。）。
【０００３】
特許文献１に記載のコネクタ（オス側コネクタ）は、板状の底部及び一対の側壁部を有する接触端子（オス端子）と、接触端子を保持する本体部及び接触端子への手指の接触を抑止するタッチプロテクト機構（接触抑止手段）を有するハウジングとを備えている。タッチプロテクト機構は、接触端子の先端側から本体部にかけて接触端子の一対の側壁部を絶縁体で覆う絶縁部と、接触端子を上下方向から挟むように配置されて本体部から相手側コネクタ（メス側コネクタ）との嵌合方向に向かって突出する突出部とを有している。突出部は、突出部と絶縁部との間から接触端子に手指が触れない程度の距離だけ離間されて配置されている。
【先行技術文献】
【特許文献】
【０００４】
【特許文献１】特許第５０１８７４０号公報
【発明の概要】
【発明が解決しようとする課題】
【０００５】
特許文献１に記載のコネクタを例えばモータとインバータの接続に用いる場合には、コネクタの着脱作業時の安全性を確保するために、インターロック機構を設けることが望ましい。しかしながら、タッチプロテクト機構に加えてインターロック機構をコネクタに備えた場合、ハウジングが大型化してしまうおそれがある。
【０００６】
そこで、本発明は、タッチプロテクト機構及びインターロック機構を備えながらも、ハウジングの大型化を抑制することが可能なコネクタ及びコネクタ装置を提供することを目的とする。
【課題を解決するための手段】
【０００７】
本発明は、上記課題を解決することを目的として、相手側コネクタの相手側端子に接触する接触部を有する接触端子と、前記相手側コネクタとの嵌合によって電気的に導通する一対の嵌合検知用端子と、前記接触端子及び前記一対の嵌合検知用端子を保持するハウジングとを備え、前記ハウジングは、前記接触端子を保持する本体部と、前記本体部から突出して前記接触端子の前記接触部を前記相手側コネクタとの嵌合方向に直交する第１の方向に挟む絶縁性の第１の突部と、前記嵌合方向及び前記第１の方向に直交する第２の方向に沿って前記接触部に並列し、前記一対の嵌合検知用端子を保持して前記本体部から突出する絶縁性の第２の突部とを有し、前記第１の突部及び前記第２の突部は、前記接触部の先端よりも前記本体部から突出しているコネクタを提供する。
【０００８】
また、本発明は、上記課題を解決することを目的として、相手側コネクタの相手側端子に接触する接触部を有する複数の接触端子と、前記相手側コネクタとの嵌合によって電気的に導通する一対の嵌合検知用端子と、前記複数の接触端子及び前記一対の嵌合検知用端子を保持するハウジングとを備え、前記ハウジングは、前記複数の接触端子を保持する本体部と、前記本体部から突出して前記複数の接触端子の前記接触部を前記相手側コネクタとの嵌合方向に直交する第１の方向に挟む絶縁性の複数の第１の突部と、前記本体部から突出して前記複数の接触端子の前記接触部を前記嵌合方向及び前記第１の方向に直交する第２の方向に挟む絶縁性の複数の第２の突部とを有し、前記複数の第２の突部のうち何れか１つには、前記一対の嵌合検知用端子が保持され、前記複数の第１の突部及び前記複数の第２の突部は、前記接触部の先端よりも前記本体部から突出しているコネクタを提供する。
【０００９】
また、本発明は、上記課題を解決することを目的として、前記コネクタと、前記相手側コネクタとを備えるコネクタ装置を提供する。
【発明の効果】
【００１０】
本発明に係るコネクタ及びコネクタ装置によれば、タッチプロテクト機構及びインターロック機構を備えながらも、ハウジングの大型化を抑制することが可能である。
【図面の簡単な説明】
【００１１】
【図１】本発明の実施の形態に係るコネクタ装置の構成例を示す分解斜視図である。
【図２】オスコネクタのオス端子を示す斜視図である。
【図３】オスコネクタの構成例を示す斜視図である。
【図４】オスコネクタのオス側インナハウジングを示す斜視図である。
【図５】インターロック用コネクタの構成例を示し、（ａ）は斜視図、（ｂ）は第２のメス端子及びその周辺部における断面模式図である。
【図６】試験指の構成例を示す模式図である。
【図７】挟持部に装着されたオス端子を示す平面図である。
【図８】挟持部に装着されたオス端子を示し、（ａ）は図７のＡ−Ａ線断面図、（ｂ）は図７のＢ−Ｂ線断面図、（ｃ）は図７のＣ−Ｃ線断面図である。
【図９】オスコネクタを示す正面図である。
【図１０】オスコネクタのオス側インナハウジングを示す上面図である。
【発明を実施するための形態】
【００１２】
［実施の形態］
図１は、本発明の実施の形態に係るコネクタ装置の構成例を示す分解斜視図である。
【００１３】
（コネクタ装置１の構成）
このコネクタ装置１は、オスコネクタ１１及びメスコネクタ１２を備え、オスコネクタ１１とメスコネクタ１２とを嵌合することにより、メスコネクタ１２のメス端子６とメス端子６に接触する接触端子としてのオス端子７とが電気的に接続される。なお、図１では、オス端子７における後述する接触部７１（図２に示す）とは反対側の端部を図示している。
【００１４】
オスコネクタ１１は、複数（本実施の形態では３つ）のオス端子７と、メスコネクタ１２との嵌合によって電気的に導通する一対の嵌合検知用端子を有するインターロック用オスコネクタ９（後述）と、複数のオス端子７及びインターロック用オスコネクタ９を保持する絶縁性の樹脂からなるオス側インナハウジング３と、導電性の金属からなるオス側アウタハウジング５とを備えている。
【００１５】
オス側アウタハウジング５は、四隅が丸みを帯びた長方形状の断面を有する筒部５１と、筒部５１から外方に向かって張り出したフランジ部５２とを有している。
【００１６】
筒部５１は、その長方形状の長辺方向の両側面に、メスコネクタ１２との嵌合方向に沿って延びるリブ５１１、及びリブ５１１から外方に向けて突出したカムピン５１２が形成されている。リブ５１１の外周には、樹脂（例えば、高耐熱ナイロンＰＡ６Ｔ等の樹脂）からなるガイド部材５１１ａが設けられている。また、筒部５１は、開口５１０ａとは反対側の外周に、図略の筐体との間をシールするシール部材５１３ａを保持するシール保持部５１３が形成されている。
【００１７】
フランジ部５２には、オス側アウタハウジング５を筐体に取り付けるための取付部５２１が形成されている。取付部５２１には、オス側アウタハウジング５を筐体に固定するためのボルトが挿通するボルト孔５２１ａが形成されている。
【００１８】
メスコネクタ１２は、複数（本実施の形態では３つ）のメス端子６と、複数のメス端子６及びインターロック用オスコネクタ９が接続されるインターロック用メスコネクタ２０を保持する絶縁性の樹脂からなるメス側インナハウジング２と、導電性のメス側アウタハウジング４と、メス側アウタハウジング４に対して回動可能なレバー１２１とを備えている。レバー１２１の持ち手の両側部には、円弧状に形成されたスライド湾曲孔１２１ａが設けられている。
【００１９】
メス側アウタハウジング４は、四隅が丸みを帯びた長方形状の断面を有する筒部４１と、複数（本実施の形態では３本）のケーブル１２０の端部が収容される複数（本実施の形態では３つ）の円筒部４２とを一体に有している。
【００２０】
筒部４１は、その長方形状の長辺方向の両側面に、オスコネクタ１１との嵌合方向に沿って延びるガイド溝４１２と、レバー１２１を支持するレバー軸４１３とが形成されている。筒部４１には、メス側インナハウジング２を収容する収容空間４１１が形成されている。複数のメス端子６は、収容空間４１１内にメス側アウタハウジング４の長辺方向に沿って並んで配置されている。筒部４１の開口端部４１４には、複数のメス端子６を短辺方向に挟む２カ所に、オス側アウタハウジング５とメス側アウタハウジング４との間のガタツキを抑制するスペーサ１２３が、それぞれ取り付けられている。
【００２１】
次に、オス側アウタハウジング５とメス側アウタハウジング４との嵌合方法について説明する。
【００２２】
オス側アウタハウジング５とメス側アウタハウジング４とを嵌合する際には、オス側アウタハウジング５のリブ５１１及びガイド部材５１１ａをメス側アウタハウジング４のガイド溝４１２に挿入し、カムピン５１２をスライド湾曲孔１２１ａの内面に突き当てる。次に、レバー１２１を図１の矢印Ｘ方向に倒すことによりオス側アウタハウジング５のカムピン５１２をスライド湾曲孔１２１ａに沿って移動させ、これによりオス側アウタハウジング５をメス側アウタハウジング４の奥側に移動させる。図１の矢印Ｘ方向に倒されたレバー１２１は、メス側アウタハウジング４の円筒部４２の上部に設けられたロック部１２２に固定される。以上により、オス側アウタハウジング５とメス側アウタハウジング４とが嵌合する。
【００２３】
（オス端子７の構成）
図２は、オスコネクタ１１のオス端子７を示す斜視図である。
【００２４】
オス端子７は、メスコネクタ１２のメス端子６に接触する接触部７１と、インバータ等の電圧を出力する機器に接続される板状の機器接続部７２とを一体に有している。
【００２５】
接触部７１は、機器接続部７２から連続して形成された板状の底部７１３と、底部７１３から立設された一対の壁部（第１の壁部７１１及び第２の壁部７１２）とを有している。底部７１３は、機器接続部７２とは反対側の端部に、切り欠き７１３ａが形成されている。第１の壁部７１１には底部７１３とは反対側に向かって突出する凸部７１１ａが、また第２の壁部７１２には底部７１３とは反対側に向かって突出する凸部７１２ａが、それぞれ形成されている。
【００２６】
機器接続部７２は、接触部７１の切り欠き７１３ａとは反対側の端部に、外部機器と接続するための接続孔７２ａが形成されている。
【００２７】
（オスコネクタ１１の構成）
図３は、オスコネクタ１１の構成例を示す斜視図である。図４は、オスコネクタ１１のオス側インナハウジング３を示す斜視図である。
【００２８】
オス側アウタハウジング５の筒部５１には、オス側インナハウジング３の一部を収容する収容空間５１０が形成されている。複数のオス端子７は、収容空間５１０内に筒部５１の長辺方向に沿って並んで配置されている。筒部５１は、その短辺方向の内側に、収容空間５１０に向かって突出し、かつメス側アウタハウジング４の嵌合方向に沿って延びる複数の係止部５１４が形成されている。オス側インナハウジング３は、この複数の係止部５１４によって嵌合方向の移動が規制されている。
【００２９】
オス側インナハウジング３は、複数のオス端子７を保持する本体３０と、本体３０からオス側アウタハウジング５の開口５１０ａ側に向かって突出する絶縁性の複数の突起とを一体に有している。本実施の形態では、これら複数の突起をその形状及び配置によって、３つの挟持突起３０ａ及び５つの並列突起３０ｂとして記載する。
【００３０】
複数の挟持突起３０ａは、それぞれが共通の構成を有しているが、以下の説明においてこれらを区別する必要がある場合には、３つの挟持突起３０ａを図４における左側から順に、第１の挟持突起３０ａ１，第２の挟持突起３０ａ２，及び第３の挟持突起３０ａ３として説明する。これら第１乃至第３の挟持突起３０ａ１〜３０ａ３は、メスコネクタ１２との嵌合方向に直交する第１の方向（オス側アウタハウジング５の長辺方向）に並列している。
【００３１】
複数の挟持突起３０ａ（第１乃至第３の挟持突起３０ａ１〜３０ａ３）は、オス端子７の接触部７１を第１の方向に挟む一対の突片（第１の突片３１及び第２の突片３２）からなる。
【００３２】
また、複数の並列突起３０ｂは、それぞれが共通の構成を有しているが、以下の説明においてこれらを区別する必要がある場合には、５つの並列突起３０ｂを第１乃至第５の並列突起３０ｂ１〜３０ｂ５として説明する。第１の並列突起３０ｂ１及び第２の並列突起３０ｂ２は、メスコネクタ１２との嵌合方向及び第１の方向に直交する第２の方向（オス側アウタハウジング５の短辺方向）に沿って並列している。第３の並列突起３０ｂ３及び第４の並列突起３０ｂ４は、第２の方向に沿って並列している。第１の並列突起３０ｂ１と第２の並列突起３０ｂ２との間には、第１の挟持突起３０ａ１が位置している。また、第３の並列突起３０ｂ３と第４の並列突起３０ｂ４との間には、第３の挟持突起３０ａ３が位置している。
【００３３】
第５の並列突起３０ｂ５は、第１の方向に沿って第２の並列突起３０ｂ２と第４の並列突起３０ｂ４との間に位置している。また、第５の並列突起３０ｂ５は、第２の方向に沿って第２の挟持突起３０ａ２に並列している。
【００３４】
複数の並列突起３０ｂは、第１の方向に沿って対向する一対の側壁部（第１の側壁部３０１及び第２の側壁部３０２）と、オス端子７の底部７１３に対向して一対の側壁部を連結する連結部３０３とを有している。第１の側壁部３０１及び第２の側壁部３０２は、連結部３０３から挟持突起３０ａ側（オス端子７側）とは反対側に向かって延在している。連結部３０３には、オス端子７の底部７１３に向かって突出する凸部３０４がその中央部に形成されている。
【００３５】
第１の並列突起３０ｂ１と第３の並列突起３０ｂ３との間には、オス側インナハウジング３の本体３０に着脱可能に保持されたインターロック用オスコネクタ９が位置している。このインターロック用オスコネクタ９は、第２の方向に沿って第２の挟持突起３０ａ２に並列している。つまり、第２の挟持突起３０ａ２は、インターロック用オスコネクタ９と第５の並列突起３０ｂ５との間に位置している。
【００３６】
図５は、インターロック用オスコネクタ９の構成例を示し、（ａ）は斜視図、（ｂ）は第２のメス端子９２及びその周辺部における断面模式図である。
【００３７】
インターロック用オスコネクタ９は、インターロック用メスコネクタ２０（図１参照）との嵌合によって電気的に導通する一対の嵌合検知用端子としての第１のメス端子９１及び第２のメス端子９２と、第１のメス端子９１及び第２のメス端子９２を保持する有底角筒状の絶縁性樹脂からなるインターロック用オスハウジング９３とを有している。
【００３８】
第１のメス端子９１及び第２のメス端子９２は、インターロック用オスハウジング９３の上面に設けられたリテーナ９３１によって抜け止めされている。第１のメス端子９１には第１の信号線９１０が接続され、第２のメス端子９２には第２の信号線９２０が接続されている。
【００３９】
インターロック用オスハウジング９３は、第１の信号線９１０及び第２の信号線９２０の延伸方向に長い略直方体形状である。インターロック用オスハウジング９３の一側面には、インターロック用メスコネクタ２０に係止する係止部９３２が形成されている。また、インターロック用オスハウジング９３には、オス側アウタハウジング５の開口５１０ａを臨む底壁部９３３に、開口９１３，９２３が形成されている。第１のメス端子９１及び第２のメス端子９２は、その開口５１０ａ側の端部が底壁部９３３に覆われており、インターロック用メスコネクタ２０との嵌合によって開口９１３，９２３を挿通する図略のオス端子に接触する。この開口９１３，９２３も、手指が入らない程度の大きさである。
【００４０】
本実施の形態では、インターロック用オスハウジング９３がオス側インナハウジング３の並列突起３０ｂ（図４参照）として形成されている。換言すれば、第１のメス端子９１及び第２のメス端子９２は、並列突起３０ｂに保持されている。
【００４１】
図５（ｂ）に示すように、第２のメス端子９２は、板状の上部接点９２１と、上部接点９２１に向かって湾曲する下部接点９２２とを有している。第１のメス端子９１についても同様の構成である。
【００４２】
オス側インナハウジング３及びインターロック用オスコネクタ９のインターロック用オスハウジング９３は、インターロック用オスコネクタ９がオス側インナハウジング３の本体３０に保持されることにより一体化されて本発明の「ハウジング」を構成する。挟持突起３０ａの第１の突片３１及び第２の突片３２は、それぞれが本発明の「第１の突部」の一態様である。並列突起３０ｂ及びインターロック用オスコネクタ９のインターロック用オスハウジング９３は、本発明の「第２の突部」の一態様である。
【００４３】
複数の挟持突起３０ａ、複数の並列突起３０ｂ、及びインターロック用オスコネクタ９のインターロック用オスハウジング９３は、オス端子７の接触部７１の先端よりもオス側インナハウジング３の本体３０から突出してオス端子７の接触部７１への手指の接触を抑制する位置に配置されている。本実施の形態では、接触部７１への手指の接触が不能か否かを試験指を用いて判断する。
【００４４】
ここで、本実施の形態で用いられる試験指８の構成について説明する。図６は、試験指８の構成例を示す模式図である。
【００４５】
この試験指８は、ＩＥＣ６０３３５−１に規定されたものであり、柄８４に設けられた円板状の停止板８０と、停止板８０から垂直な方向に沿って柄８４とは反対側に延びる第１円柱部８１と、第１円柱部８１から軸方向に沿って延びる第２円柱部８２と、第２円柱部８２から軸方向に沿って延びる指先部８３とから構成されている。第２円柱部８２は、軸方向に対して９０°に曲げることが可能な２つの関節部（第１関節部８２ａ１及び第２関節部８２ａ２）を有している。
【００４６】
試験指８は、その軸方向において、第２円柱部８２と指先部８３とを合わせた長さｌ１が８０ｍｍ（ｌ１＝８０ｍｍ）、第２関節部８２ａ２から指先部８３の先端までの長さｌ２が６０ｍｍ（ｌ２＝６０ｍｍ）、指先部８３の長さｌ３が２０ｍｍ、停止板８０の直径Ｄ１が７５ｍｍ（Ｄ１＝７５ｍｍ）、第２円柱部８２の直径Ｄ２が１２ｍｍ（Ｄ２＝１２ｍｍ）である。指先部８３は、第２関節部８２ａ２側の根元部の直径が第２円柱部８２の直径Ｄ２と同じであり、先端部ほど細くなっている。
【００４７】
次に、挟持突起３０ａ及び並列突起３０ｂの構成について、図７乃至図９を参照して、より具体的に説明する。
【００４８】
図７は、挟持突起３０ａに装着されたオス端子７を示す平面図である。図８は、挟持突起３０ａに装着されたオス端子７を示し、（ａ）は図７のＡ−Ａ線断面図、（ｂ）は図７のＢ−Ｂ線断面図、（ｃ）は図７のＣ−Ｃ線断面図である。図９は、オスコネクタ１１を示す正面図である。
【００４９】
挟持突起３０ａの第１の突片３１は、オス端子７における接触部７１の第１の壁部７１１を保持する保持部３１１と、保持部３１１から連続して形成され、オス端子７の接触部７１の先端よりもオス側アウタハウジング５の開口５１０ａ（図３参照）に向かって延出する延出部３１２とを有している。
【００５０】
同様にして、挟持突起３０ａの第２の突片３２は、オス端子７における接触部７１の第２の壁部７１２を保持する保持部３２１と、保持部３２１から連続して形成され、オス端子７の接触部７１の先端よりもオス側アウタハウジング５の開口５１０ａ（図３参照）に向かって延出する延出部３２２とを有している。
【００５１】
第１の突片３１の保持部３１１は、図８（ａ）及び図８（ｂ）に示すように、保持部３１１の内面３１１ａが第１の壁部７１１の外面７１１ｂに対向している。同様にして、第２の突片３２の保持部３２１は、保持部３２１の内面３２１ａが第２の壁部７１２の外面７１２ｂに対向している。本実施の形態では、保持部３１１の内面３１１ａと第１の壁部７１１の外面７１１ｂ、及び保持部３２１の内面３２１ａと第２の壁部７１２の外面７１２ｂは、それぞれ接触している。したがって、第１の方向におけるオス端子７の接触部７１と挟持突起３０ａとの間隔Ｈ０は、実質的にゼロであり、接触部７１への手指及び試験指８の接触を不能とする間隔である。
【００５２】
オス端子７の接触部７１の先端面７１３ｂは、保持部３１１と延出部３１２との間に形成された段差面３１ａ、及び保持部３２１と延出部３２２との間に形成された段差面３２ａに対向している。本実施の形態では、接触部７１の先端面７１３ｂは、段差面３１ａ及び段差面３２ａに接触している。
【００５３】
第１の突片３１の延出部３１２及び第２の突片３２の延出部３２２は、図７に示すように、内面３１２ａと内面３２２ａとが対向している。すなわち、図８（ｃ）に示すように、第１の壁部７１１及び第２の壁部７１２は、第１の突片３１の延出部３１２と第２の突片３２の延出部３２２との間に介在していない。
【００５４】
第１の突片３１の延出部３１２の内面３１２ａと第２の突片３２の延出部３２２の内面３２２ａとの間隔Ｗ（第１の突片３１及び第２の突片３２間の間隔）は、試験指８の第２円柱部８２の直径Ｄ２（図６参照）よりも狭く形成され、これにより、オス端子７の接触部７１への手指の接触が抑制されている。すなわち、第１の方向における第１の突片３１と第２の突片３２との間隔Ｗは、オス端子７の接触部７１への手指の接触を抑制する間隔である。また、第１の突片３１の延出部３１２及び第２の突片３２の延出部３２２の先端から切り欠き７１３ａの終端までの距離Ｌは、試験指８の指先部８３の先端をオス端子７の接触部７１に接触不能とする長さに設定されている。
【００５５】
図９に示すように、挟持突起３０ａ１と並列突起３０ｂ１との間、挟持突起３０ａ２とインターロック用オスコネクタ９との間、及び挟持突起３０ａ３と並列突起３０ｂ３との間の第２の方向における間隔をそれぞれＨ１とし、挟持突起３０ａ１と並列突起３０ｂ２との間、挟持突起３０ａ２と並列突起３０ｂ５との間、及び挟持突起３０ａ３と並列突起３０ｂ４との間の第２の方向における間隔をそれぞれＨ２とすると、間隔Ｈ１及びＨ２は、手指の幅よりも狭く形成されている。より具体的には、間隔Ｈ１及びＨ２は、試験指８の第２円柱部８２の直径Ｄ２（図６参照）よりも狭く形成されている。
【００５６】
また、本実施の形態では、図８に示すように、オス端子７の第１及び第２の壁部７１１，７１２の外面７１１ｂ，７１２ｂの全体が保持部３１１，３２１の内面３１１ａ，３２１ａに覆われており、第２の方向における接触部７１と挟持突起３０ａ１，３０ａ３及びインターロック用オスコネクタ９との間隔は、間隔Ｈ１に一致している。また、第２の方向における接触部７１と挟持突起３０ａ１，３０ａ４，３０ａ５との間隔Ｈ３は、間隔Ｈ２よりも僅かに大きくなっている。この間隔Ｈ３は、手指の幅よりも狭く形成され、より具体的には試験指８の第２円柱部８２の直径Ｄ２よりも狭く形成されている。
【００５７】
これにより、オス端子７の接触部７１への手指の接触が抑制されている。すなわち、第２の方向におけるオス端子７の接触部７１と並列突起３０ｂならびにインターロック用オスコネクタ９との間隔Ｈ１，Ｈ３は、オス端子７の接触部７１への手指の接触を抑制する間隔である。
【００５８】
これらの間隔Ｈ１，Ｈ２，Ｈ３は、接触部７１への手指の接触、及び試験指８の接触を不能とする間隔である。ここで、手指の接触を不能とする間隔とは、例えば成人の指を横にしてオス側アウタハウジング５の開口５１０ａ側から接触部７１側に接近させても、その指が接触部７１に接触しない程度の間隔であり、より具体的には、例えば４〜８ｍｍである。
【００５９】
したがって、並列突起３０ｂ及びインターロック用オスコネクタ９により、オス端子７への手指の接触が抑制されている。なお、本実施の形態では、間隔Ｈ１及びＨ２は同じ寸法である（Ｈ１＝Ｈ２）。
【００６０】
（インターロック回路の構成）
次に、インターロック回路の構成について、図５及び図１０を参照して説明する。
【００６１】
図５（ｂ）に示すインターロック用オスハウジング９３に形成された開口９２３から挿入されたインターロック用メスコネクタ２０のオス端子（図略）は、第２のメス端子９２の上部接点９２１と下部接点９２２との間に挟持され、上部接点９２１及び下部接点９２２にそれぞれ接触する。また、オス端子は、第１のメス端子９１に対しても同様に接触する。第１のメス端子９１及び第２のメス端子９２にインターロック用メスコネクタ２０のオス端子が接続されることにより、インターロック用オスコネクタ９とインターロック用メスコネクタ２０との間で第１のメス端子９１及び第２のメス端子９２が導通（短絡）してインターロック回路が閉じる。つまり、オス端子は、第１のメス端子９１と第２のメス端子９２とを短絡させるショートバーとして機能する。
【００６２】
図１０は、オスコネクタ１１のオス側インナハウジング３を示す上面図である。
【００６３】
インターロック用オスコネクタ９の長辺方向の長さをＬ１、オス側インナハウジング３の並列突起３０ｂのメスコネクタ１２との嵌合方向における長さをＬ２、挟持突起３０ａのメスコネクタ１２との嵌合方向における長さをＬ３とすると、インターロック用オスコネクタ９の長さＬ１は、並列突起３０ｂの長さＬ２よりも短く、並列突起３０ｂの長さＬ２は、挟持突起３０ａの長さＬ３よりも短い（Ｌ１＜Ｌ２＜Ｌ３）。
【００６４】
インターロック用オスコネクタ９は、その長辺方向の長さＬ１を並列突起３０ｂの長さＬ２及び挟持突起３０ａの長さＬ３よりも短くすることによって、オスコネクタ１１とメスコネクタ１２とが適切に嵌合された後に、インターロック用オスコネクタ９とインターロック用メスコネクタ２０とが嵌合される。これにより、インターロック回路が閉じて、インターロック用オスコネクタ９の第１のメス端子９１及び第２のメス端子９２とインターロック用メスコネクタ２０のオス端子とが電気的に接続したことを示す信号が、第１の信号線９１０及び第２の信号線９２０を介して外部の制御装置（図略）に出力される。そして、制御装置がインバータ（図略）に働きかけてコネクタ装置１（図１参照）への電力が供給される。
【００６５】
また、インターロック用オスコネクタ９は、その長辺方向の長さＬ１を並列突起３０ｂの長さＬ２及び挟持突起３０ａの長さＬ３よりも短くすることによって、オスコネクタ１１とメスコネクタ１２とが分離する前に、インターロック用オスコネクタ９とインターロック用メスコネクタ２０とが分離される。これにより、インターロック回路が電気的に開放されて、第１の信号線９１０及び第２の信号線９２０が接続された制御装置は、インターロック用オスコネクタ９の第１のメス端子９１及び第２のメス端子９２とインターロック用メスコネクタ２０のオス端子との電気的な接続が解除されたと判断し、インバータに働きかけてコネクタ装置１への電力の供給を遮断する。
【００６６】
（実施の形態の作用及び効果）
以上説明した実施の形態によれば、以下のような作用及び効果が得られる。
【００６７】
（１）インターロック用オスコネクタ９のインターロック用オスハウジング９３は、オス側インナハウジング３の並列突起３０ｂとして形成されているため、オス端子７の接触部７１への手指の接触を不能とすることができる。換言すれば、オス端子７の接触部７１の先端よりも本体３０から突出して接触部７１への手指の接触を不能とする位置に配置された並列突起３０ｂは、オスコネクタ１１とメスコネクタ１２との嵌合を検知するインターロック用オスコネクタ９の第１のメス端子９１及び第２のメス端子９２を保持しているため、タッチプロテクト機能を有すると共に、インターロック機能も有する。したがって、オス側インナハウジング３は、タッチプロテクト機構及びインターロック機構を備えながらも、オス側インナハウジング３全体の大型化を抑制することが可能である。
【００６８】
（２）インターロック用オスコネクタ９は、オス側インナハウジング３の本体３０に対して着脱可能であるため、インターロック用オスコネクタ９の取り換え作業が容易となる。
【００６９】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００７０】
［１］相手側コネクタ（メスコネクタ１２）の相手側端子（メス端子６）に接触する接触部（７１）を有する接触端子（オス端子７）と、前記相手側コネクタ（メスコネクタ１２）との嵌合によって電気的に導通する一対の嵌合検知用端子（第１のメス端子９１及び第２のメス端子９２）と、前記接触端子（オス端子７）及び前記一対の嵌合検知用端子（第１のメス端子９１及び第２のメス端子９２）を保持するハウジング（オス側インナハウジング３）とを備え、前記ハウジング（オス側インナハウジング３）は、前記接触端子（オス端子７）を保持する本体部（本体３０）と、前記本体部（本体３０）から突出して前記接触端子（オス端子７）の前記接触部（７１）を前記相手側コネクタ（メスコネクタ１２）との嵌合方向に直交する第１の方向に挟む絶縁性の第１の突部（第１の突片３１及び第２の突片３２）と、前記嵌合方向及び前記第１の方向に直交する第２の方向に沿って前記接触部（７１）に並列し、前記一対の嵌合検知用端子（第１のメス端子９１及び第２のメス端子９２）を保持して前記本体部（本体３０）から突出する絶縁性の第２の突部（並列突起３０ｂ）とを有し、前記第１の突部（第１の突片３１及び第２の突片３２）及び前記第２の突部（並列突起３０ｂ）は、前記接触部（７１）の先端よりも前記本体部（本体３０）から突出しているコネクタ（オスコネクタ１１）。
【００７１】
［２］前記第１の方向における前記第１の突部（第１の突片３１及び第２の突片３２）間の間隔、及び前記第２の方向における前記接触部（７１）と前記第２の突部（並列突起３０ｂ）との間隔は、前記接触部（７１）への手指の接触を抑制する間隔である、［１］に記載のコネクタ（オスコネクタ１１）。
【００７２】
［３］前記第１の方向における前記接触部（７１）と前記第１の突部（第１の突片３１及び第２の突片３２）との間隔、及び前記第２の方向における前記接触部（７１）と前記第２の突部（並列突起３０ｂ）との間隔は、ＩＥＣ６０３３５−１規格で定められた試験指（８）の前記接触部への接触を不能とする間隔である、［１］又は［２］に記載のコネクタ（オスコネクタ１１）。
【００７３】
［４］前記第２の突部（並列突起３０ｂ）は、前記本体部（本体３０）に対して着脱可能である、［１］乃至［３］の何れか１つに記載のコネクタ（オスコネクタ１１）。
【００７４】
［５］相手側コネクタ（メスコネクタ１２）の相手側端子（メス端子６）に接触する接触部（７１）を有する複数の接触端子（オス端子７）と、前記相手側コネクタ（メスコネクタ１２）との嵌合によって電気的に導通する一対の嵌合検知用端子（第１のメス端子９１及び第２のメス端子９２）と、前記複数の接触端子（オス端子７）及び前記一対の嵌合検知用端子（第１のメス端子９１及び第２のメス端子９２）を保持するハウジング（オス側インナハウジング３）とを備え、前記ハウジング（オス側インナハウジング３）は、前記複数の接触端子（オス端子７）を保持する本体部（本体３０）と、前記本体部（本体３０）から突出して前記複数の接触端子（オス端子７）の前記接触部（７１）を前記相手側コネクタ（メスコネクタ１２）との嵌合方向に直交する第１の方向に挟む絶縁性の複数の第１の突部（第１の突片３１及び第２の突片３２）と、前記本体部（本体３０）から突出して前記複数の接触端子（オス端子７）の前記接触部（７１）を前記嵌合方向及び前記第１の方向に直交する第２の方向に挟む絶縁性の複数の第２の突部（並列突起３０ｂ）とを有し、前記複数の第２の突部（並列突起３０ｂ）のうち何れか１つには、前記一対の嵌合検知用端子（第１のメス端子９１及び第２のメス端子９２）が保持され、前記複数の第１の突部（第１の突片３１及び第２の突片３２）及び前記複数の第２の突部（並列突起３０ｂ）は、前記接触部（７１）の先端よりも前記本体部（本体３０）から突出しているコネクタ（オスコネクタ１１）。
【００７５】
［６］前記第１の方向における前記第１の突部（第１の突片３１及び第２の突片３２）間の間隔、及び前記第２の方向における前記接触部（７１）と前記第２の突部（並列突起３０ｂ）との間隔は、前記接触部（７１）への手指の接触を抑制する間隔である、［５］に記載のコネクタ（オスコネクタ１１）。
【００７６】
［７］前記第１の方向における前記接触部（７１）と前記第１の突部（第１の突片３１及び第２の突片３２）との間隔、及び前記第２の方向における前記接触部（７１）と前記第２の突部（並列突起３０ｂ）との間隔は、ＩＥＣ６０３３５−１規格で定められた試験指（８）の前記接触部への接触を不能とする間隔である、［５］又は［６］に記載のコネクタ（オスコネクタ１１）。
【００７７】
［８］前記複数の第２の突部（並列突起３０ｂ）のうち前記一対の嵌合検知用端子（第１のメス端子９１及び第２のメス端子９２）が保持された第２の突部（並列突起３０ｂ）は、前記本体部（本体３０）に対して着脱可能である、［５］乃至［７］の何れかに記載のコネクタ（オスコネクタ１１）。
【００７８】
［９］［１］乃至［８］の何れか１項に記載のコネクタ（オスコネクタ１１）と、前記相手側コネクタ（メスコネクタ１２）とを備えるコネクタ装置（１）。
【００７９】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００８０】
本発明は、その趣旨を逸脱しない範囲で適宜変形して実施することが可能である。例えば、上記実施の形態では、インターロック用オスコネクタ９は、第１の並列突起３０ｂ１と第３の並列突起３０ｂ３との間に位置していたが、これに限らず、例えば第１乃至第５の並列突起３０ｂ１〜３０ｂ５のうち何れか１つの第１のメス端子９１及び第２のメス端子９２を保持させてもよい。
【００８１】
また、上記実施の形態では、オス側インナハウジング３は、第２の並列突起３０ｂ２、第４の並列突起３０ｂ４、及び第５の並列突起３０ｂ５を有していたが、これに限らず、例えば第２の並列突起３０ｂ２、第４の並列突起３０ｂ４、及び第５の並列突起ｂ５を省略できるようにオス側アウタハウジング５の短辺方向（第２の方向）の幅を設定してもよい。
【００８２】
また、上記実施の形態では、オス端子７は、一対の壁部（第１の壁部７１１及び第２の壁部７１２）と、板状の底部７１３とを有していたが、これに限らず、例えば板状の底部７１３のみから構成されていてもよい。
【００８３】
また、上記実施の形態では、インターロック用オスコネクタ９のインターロック用オスハウジング９３は、オス側インナハウジング３と別体であったが、これに限らず、インターロック用オスハウジング９３とオス側インナハウジング３とを一体に形成してもよい。
【００８４】
また、オス端子７、メス端子６、及びケーブル１２０の数にも制限はない。
【符号の説明】
【００８５】
１…コネクタ装置、２…メス側インナハウジング、３…オス側インナハウジング（ハウジング）、４…メス側アウタハウジング、５…オス側アウタハウジング、６…メス端子（相手側端子）、７…オス端子（接触端子）、８…試験指、９…インターロック用オスコネクタ、１１…オスコネクタ、１２…メスコネクタ（相手側コネクタ）、２０…インターロック用メスコネクタ、３０…本体（本体部）、３０ａ，３０ａ１，３０ａ２，３０ａ３…挟持突起、３０ｂ，３０ｂ１，３０ｂ２，３０ｂ３，３０ｂ４，３０ｂ５…並列突起（第２の突部）、３１…第１の突片（第１の突部）、３２…第２の突片（第１の突部）、３１ａ，３２ａ…段差面、４１…筒部、４２…円筒部、５１…筒部、５２…フランジ部、７１…接触部、７２…機器接続部、７２ａ…接続孔、８０…停止板、８１…第１円柱部、８２…第２円柱部、８２ａ１…第１関節部、８２ａ２…第２関節部、８３…指先部、８４…柄、９１…第１のメス端子（嵌合検知用端子）、９２…第２のメス端子（嵌合検知用端子）、９３…インターロック用オスハウジング（第２の突部）、１２０…ケーブル、１２１…レバー、１２１ａ…スライド湾曲孔、１２２…ロック部、１２３…スペーサ、３０１…第１の側壁部、３０２…第２の側壁部、３０３…連結部、３０４…凸部、３１１，３２１…保持部、３１１ａ，３１２ａ，３２１ａ，３２２ａ…内面、３１２，３２２…延出部、４１１…収容空間、４１２…ガイド溝、４１３…レバー軸、４１４…開口端部、５１０…収容空間、５１０ａ…開口、５１１…リブ、５１１ａ…ガイド部材、５１２…カムピン、５１３…シール保持部、５１３ａ…シール部材、５１４…係止部、５２１…取付部、５２１ａ…ボルト孔、７１１…第１の壁部、７１２…第２の壁部、７１１ａ，７１２ａ…凸部、７１１ｂ，７１２ｂ…外面、７１３…底部、７１３ａ…切り欠き、７１３ｂ…先端面、９１０…第１の信号線、９１３…開口、９２０…第２の信号線、９２１…上部接点、９２２…下部接点、９２３…開口、９３１…リテーナ、９３２…係止部、９３３…底壁部
【図１】
0006024608.tif 000002
【図２】
0006024608.tif 000003
【図３】
0006024608.tif 000004
【図４】
0006024608.tif 000005
【図５】
0006024608.tif 000006
【図６】
0006024608.tif 000007
【図７】
0006024608.tif 000008
【図８】
0006024608.tif 000009
【図９】
0006024608.tif 000010
【図１０】
0006024608.tif 000011